(57)【特許請求の範囲】
【請求項１】
アンテナの基部に設けた回動軸部を回動自在に支持する第１のケースと、この第１のケースと結合することにより装置筺体を形成し、装置筺体を形成することにより前記アンテナの回動軸部の外周部に対向する対向部が設けられた第２のケースとを備え、前記アンテナの回動軸部の外周部に円周方向に等角度おいた複数の係合部を設け、前記第２のケースの対向部に前記係合部に係合する被係合部を設けたことを特徴とするアンテナの取付構造。
【請求項２】
前記係合部および被係合部を歯車によって形成したことを特徴とする請求項１記載のアンテナの取付構造。
【請求項３】
前記第１のケースの内側に前記アンテナの感度を表示する表示器を設けたことを特徴とする請求項１または２記載のアンテナの取付構造。
【発明の詳細な説明】
【技術分野】
【０００１】
本発明は、例えば据置設置用の無線装置等におけるアンテナ取付構造に関し、特に、回動自在に支持されたアンテナの指向方向を調整して固定するアンテナ取付構造に関するものである。
【背景技術】
【０００２】
例えば、ガス使用量無人監視システムにおいては、ガスの使用量を各戸毎に検知し、この検知したガスの使用量を無線によって個々に無線送受信用親機に送信するための多数の無線送受信用子機が備えられている。これら無線送受信用親機および子機には、装置筐体に回動自在に支持されたアンテナが備えられ、アンテナの感度を向上させるためにアンテナを互いの指向方向が一致するように回動調整され、据え置かれたこれら無線送受信用子機から無線送受信用親機にデータを確実に送信されるようにしている。
【０００３】
この種の装置においては、一旦調整されたアンテナが第三者によって故意または誤って指向方向が変えられてしまうと、無人監視システムであるために、アンテナの指向方向が変えられたままの状態になり、アンテナの感度が低下するという問題があった。したがって、一旦アンテナの指向方向を調整した後は、第三者によって簡単にその指向方向を変えることができない構造が要求されている。この要求に応えるものとして、アンテナの回動軸の周りにゴム等のように摩擦係数が大きな制止部材を介装し、制止部材との摩擦によってアンテナを回動しづらくしたものが提案された。
【０００４】
しかしながら、アンテナに比較的大きな力が加わると回動を規制することができず、また長期間にわたって屋外で設置されていると制止部材が劣化してしまい効果が失われるといった問題もあった。そこで、アンテナの回動軸の周りに円周方向に等角度おいて係合凹部を設け、この係合凹部に係合する係合凸部を円周方向に等角度おいて形成した回り止め部材を備え、この回り止め部材の係合凸部を係合凹部に係合させることにより、アンテナの回動を規制しアンテナの指向方向を設定するものがある（例えば、特許文献１参照）。また、アンテナの回動軸部の周りに１つの第１の係入孔を設け、アンテナを回動自在に支持する支持孔の周縁であって第１の係入孔の回動軌跡上に位置付けられた部位に複数の第２の係入孔を設け、これら第１の係入孔と第２の係入孔に係入されるスプリングピンを備えたものもある（例えば、特許文献２参照）。
【特許文献１】特開２００３−８７０１７号公報（段落「００１２」〜「００１６」、図３）
【特許文献２】特開２００４−２５４２１６号公報（段落「００２０」、図２ないし図４）
【発明の開示】
【発明が解決しようとする課題】
【０００５】
上述した従来のアンテナの取付構造のうち、前者の取付構造においては、アンテナの指向方向を設定するためだけに必要な回り止め部材を用意しなければならないため部品点数が増加するという問題があった。また、アンテナの指向方向を設定または変更するときに、その都度回り止め部材の係合凹部と係合凸部との係合を解除する作業が必要なため、作業が煩雑になるという問題もあった。また、上述した従来のアンテナの取付構造のうち、後者の取付構造においても、アンテナの指向方向を設定するためだけに必要なスプリングピンを用意しなければならないために部品点数が増加するという問題があった。また、スプリングピンを第１および第２の係入孔に係入する作業が煩雑であり、特に、高所における作業が多いために、スプリングピンを落下させ紛失させてしまうという問題もあった。
【０００６】
本発明は上記した従来の問題に鑑みなされたものであり、その目的とするところは、部品点数の削減を図り、作業性を向上させたアンテナの取付構造を提供するところにある。
【課題を解決するための手段】
【０００７】
この目的を達成するために、請求項１に係る発明は、アンテナの基部に設けた回動軸部を回動自在に支持する第１のケースと、この第１のケースと結合することにより装置筺体を形成し、装置筺体を形成することにより前記アンテナの回動軸部の外周部に対向する対向部が設けられた第２のケースとを備え、前記アンテナの回動軸部の外周部に円周方向に等角度おいた複数の係合部を設け、前記第２のケースの対向部に前記係合部に係合する被係合部を設けたものである。
【０００８】
請求項２に係る発明は、請求項１に係る発明において、前記係合部および被係合部を歯車によって形成したものである。
【０００９】
請求項３に係る発明は、請求項１または２に係る発明において、前記第１のケースの内側に前記アンテナの感度を表示する表示器を設けたものである。
【発明の効果】
【００１０】
請求項１に係る発明によれば、アンテナの指向方向を設定するための係合部と被係合部とをアンテナと第２のケースとのそれぞれに設けたことにより、新たな部品を追加する必要がないから部品点数を削減することができるとともに、高所の作業においても部品を落下させ紛失させるようなこともない。また、単に第１のケースに第２のケースを結合することにより、係合部に被係合部が係合してアンテナの指向方向が設定されるため作業性が向上する。
【００１１】
請求項２に係る発明によれば、係合部および被係合部の製造が容易になる。
【００１２】
請求項３に係る発明によれば、アンテナの感度を表示する表示器を第１のケースの内側に設け、第１のケースに第２のケースを結合する以前に、表示器を視ながらアンテナの指向方向を調整できるようにしたことにより、装置筐体に表示器を表示するための孔を設ける必要がないから筺体本体の防水性を向上させることができる。
【発明を実施するための最良の形態】
【００１３】
以下、本発明の実施の形態を図に基づいて説明する。図１は本発明に係るアンテナの取付構造を実施した無線送受信用子機の一部を破断して示す平面図、図２は図１におけるII-II 線断面図、図３は同じくロアーケースにアッパーケースを結合させる状態を説明するための要部の側面図、図４はアンテナを鉛直上方に指向させた状態を示す無線送受信用子機の側面図、図５はアンテナを鉛直上方から角度αだけ傾けて指向させた状態を示す無線送受信用子機の側面図である。
【００１４】
図１および図２に全体を符号１で示すものは、ガスの使用量を各戸毎に検知し、この検知したガスの使用量を無線によって個々に無線送受信用親機（図示せず）に送信するための通信機器として機能する無線送受信用子機（以下、単に子機と称する）である。この子機１は、第１のケースとしてのロアーケース２と、第２のケースとしてのアッパーケース３とによって構成されており、これらロアーケース２とアッパーケース３とを後述する結合用ねじ３１によって結合することによって気密性の高い装置筐体４が形成される。
【００１５】
ロアーケース２は、図２に示すように、底部６と、この底部６を囲むように底部６の周縁から一体に立設された囲い壁７とによって浅底の箱状に形成されている。底部６には高さの異なる２つのスタッド８，９が一体に立設されている。囲い壁７には後述するアンテナ１５の回動軸部１６が嵌挿される孔１０が設けられているとともに、囲い壁７と対向するように囲い壁７から分岐した分岐壁１１が設けられている。図１において、１２は底部６から一体に突設された壁掛け片であって、達磨状に形成された係止孔１３が設けられている。
【００１６】
図１および図２において、１５はアンテナであって、基部にアンテナ１５の延在方向と直交する回動軸部１６が設けられており、この回動軸部１６の一端からは扁平状に形成された支持片１７が突出され、回動軸部１６はこの支持片１７に軸線周りで回動自在となるように支持されている。支持片１７には２つの挿通孔１８，１９が穿孔されている。２０は回動軸部１６の外周部の全体に設けた係合部としての歯車であって、アッパーケース３の後述する被係合部としての歯車３０と互いの歯どうしが噛合する。
【００１７】
アンテナ１５の支持片１７は、図２に示すようにロアーケース２の孔１０からロアーケース２の内部に挿入され、挿通孔１８，１９に挿通させたねじ２１，２２をロアーケース２のスタッド８，９にねじ込むことによりスタッド８，９に取り付けられる。支持片１７がロアーケース２に取り付けられたアンテナ１５は、ロアーケース２の孔１０に嵌挿された回動軸部１６が孔１０に回動自在に支持され、図３に示すように矢印Ａ−Ｂ方向に指向方向を変えられるように構成されている。
【００１８】
図２において、２４はアンテナ１５の支持片１７と共にねじ２１によってロアーケース２のスタッド８に共締めされたプリント基板であって、アンテナ１５の感度を検知しこれを表示する表示器としてのＬＥＤ２５が実装されている。このＬＥＤ２５は、アンテナ１５を矢印Ａ−Ｂ方向に回動させることにより、アンテナ１５の感度が良好になったときに、これを検知し所定回数だけ発光するように構成されている。
【００１９】
アッパーケース３は、図２に示すように、上板２６と、この上板２６を囲むように上板２６の周縁から一体に立設された囲い壁２７とによって浅底の箱状に形成されている。囲い壁２７にはアンテナ１５の回動軸部１６の外周部の一部が対向する対向部としてのＵ字溝２８が設けられているとともに、囲い壁２７と対向するように囲い壁２７から分岐した分岐壁２９が設けられている。Ｕ字溝２８は図３中下方が開口し、上部には３つの歯からなる歯車３０が設けられており、この歯車３０の歯は、アッパーケース３を、図１に示すように結合用ねじ３１，３１によってロアーケース２に結合することにより、アンテナ１５の回動軸部１６に形成した歯車２０の歯に噛合する。
【００２０】
次に、このように構成された子機においてアンテナの指向方向を設定する方法について説明する。先ず、子機１を地面から立設した支柱（いずれも図示せず）に取り付ける場合について説明する。この場合は、支柱の周囲に電波の障害となる物が存在していないので、アンテナ１５を鉛直上方に指向させる。すなわち、図３に示すように、アッパーケース３との結合を解除した状態のロアーケース２を支柱の所定の部位に取り付ける。
【００２１】
次いで、アンテナ１５を回動軸部１６を回動中心として矢印Ｂ方向に回動させて鉛直上方に指向させる。しかる後、アッパーケース３を、図２に示すように分岐壁２９をロアーケース２の囲い壁７と分岐壁１１との間に係入させ、結合用ねじ３１によってロアーケース２に結合する。このとき、アッパーケース３のＵ字溝２８に形成した歯車３０の歯が、アンテナ１５の回動軸部１６に形成した歯車２０の歯に噛合するため、アンテナ１５が図４に示すように鉛直上方を指向した状態で保持される。
【００２２】
次に、子機１を建物の壁等に取り付ける場合について説明する。先ず、上述した支柱に取り付ける場合と同様に、図３に示すように、アッパーケース３との結合を解除した状態のロアーケース２を建物の壁（いずれも図示せず）の所定の部位に取り付ける。この場合、建物の壁が電波の障害となるために、アンテナ１５の先端部を壁から離間させるように、アンテナ１５を回動軸部１６を回動中心として矢印Ａ方向に回動させていく。
【００２３】
このとき、ＬＥＤ２５の発光回数を視ながらアンテナ１５の感度が最も良好であることが検知される発光回数となったときにアンテナ１５の回動を停止し、アンテナ１５を鉛直上方から角度αだけ傾斜した方向に指向させる。しかる後、アッパーケース３を、図２に示すように分岐壁２９をロアーケース２の囲い壁７と分岐壁１１との間に係入させ、結合用ねじ３１によってロアーケース２に結合する。このとき、アッパーケース３のＵ字溝２８に形成した歯車３０の歯がアンテナ１５の回動軸部１６に形成した歯車２０の歯に噛合するため、アンテナ１５が図５に示すように鉛直上方から角度αだけ傾斜した位置を指向した状態で保持される。
【００２４】
このように、アンテナ１５の指向方向を設定するための歯車２０，３０をアンテナ１５の回動軸部１６とアッパーケース３のＵ字溝２８とのそれぞれに設けたことにより、新たな部品を追加する必要がないから部品点数を削減することができるとともに、高所の作業においても部品を落下させるようなこともない。また、単にロアーケース２にアッパーケース３を結合用ねじ３１によって結合することにより、歯車２０，３０の互いの歯どうしが噛合してアンテナ１５の指向方向が設定されるため作業性が向上する。
【００２５】
また、アンテナ１５の感度を表示するＬＥＤ２５をロアーケース２の内側に設け、ロアーケース２にアッパーケース３を結合する以前に、ＬＥＤ２５を視ながらアンテナ１５の指向方向を調整するようにしたことにより、装置筐体４にＬＥＤ２５を表示するための孔を設ける必要がないから筺体本体４の防水性を向上させることができる。また、アンテナ１５の回動軸部１６に設けた係合部を歯車２０によって形成し、アッパーケース３のＵ字溝２８に設けた被係合部を歯車３０によって形成したことにより、これら係合部および被係合部の製造が容易になる。
【００２６】
なお、本実施の形態においては、アンテナ１５の指向方向を設定するための手段としてアンテナ１５とアッパーケース３とに互いに噛合する歯車２０，３０を設けたが、互いに係合する係合突起を設けるようにしてもよい。また、歯車３０をＵ字溝２８に設けたが、アッパーケース３をロアーケース２に結合することにより、アッパーケース３にアンテナ１５の回動軸部１６に対向する対向部を設け、この対向部に歯車３０や被係合部を設けるようにしてもよい。また、歯車２０をアンテナ１５の回動軸部１６の外周部の全周に設けたが、必要な部分にのみに設けた欠歯歯車としてもよい。
【図面の簡単な説明】
【００２７】
【図１】本発明に係るアンテナの取付構造を実施した無線送受信用子機の一部を破断して示す平面図である。
【図２】図１におけるII-II 線断面図である。
【図３】本発明に係るアンテナの取付構造を実施した無線送受信用子機において、ロアーケースにアッパーケースを結合させる状態を説明するための要部の側面図である。
【図４】アンテナを鉛直上方に指向させた状態を示す本発明に係るアンテナの取付構造を実施した無線送受信用子機の側面図である。
【図５】アンテナを鉛直上方から角度αだけ傾けて指向させた状態を示す本発明に係るアンテナの取付構造を実施した無線送受信用子機の側面図である。
【符号の説明】
【００２８】
１…子機、２…ロアーケース、３…アッパーケース、４…装置筺体、１５…アンテナ、１６…回動軸部、２０…歯車（係合部）、２８…Ｕ字溝（対向部）、３０…歯車（被係合部）、３１…結合用ねじ。
【図１】
0004487946.tif 000002
【図２】
0004487946.tif 000003
【図３】
0004487946.tif 000004
【図４】
0004487946.tif 000005
【図５】
0004487946.tif 000006